(57)【要約】【課題】  トルマリンの機能をさほど損なうことなく衛生管理が極めて容易な水改質具を提供する。【解決手段】  処理水中に浸漬されて処理水を改質するもので、トルマリンＴの粉末,湯の花Ｈの粉末及び酸化ジルコニウムＺの粉末をバインダＢに溶解した溶液を基体２に塗布し、その後乾燥して形成される塗布体１を備え、この塗布体１を、錘２０とともに非透水性の袋１０に収納して密封した。【選択図】  図１
2012000544.tif 000002
【特許請求の範囲】
【請求項１】
処理水中に浸漬されて処理水を改質する水改質具において、
少なくともトルマリンの粉末をバインダに溶解した溶液を基体に塗布し、その後乾燥して形成される塗布体を備え、該塗布体を非透水性の袋に収納して密封したことを特徴とする水改質具。
【請求項２】
上記溶液に、湯の花の粉末を溶解したことを特徴とする請求項１記載の水改質具。
【請求項３】
上記溶液に、酸化ジルコニウムの粉末を溶解したことを特徴とする請求項１または２記載の水改質具。
【請求項４】
上記バインダを、樹脂製塗料で構成したことを特徴とする請求項１乃至３何れかに記載の水改質具。
【請求項５】
上記基体を、多数の小孔のある網状体で構成したことを特徴とする請求項１乃至４何れかに記載の水改質具。
【請求項６】
上記袋を、樹脂製の袋で構成したことを特徴とする請求項１乃至５何れかに記載の水改質具。
【請求項７】
上記袋に、全体を処理水中に沈下させるための錘を付帯したことを特徴とする請求項１乃至６何れかに記載の水改質具。
【発明の詳細な説明】
【技術分野】
【０００１】
本発明は、飲料水や浴用水等の処理水中に浸漬されて処理水を改質する水改質具に係り、特に、トルマリンの粉末を用いた水改質具に関する。
【背景技術】
【０００２】
従来からトルマリン鉱石は、珪酸塩類鉱物であり、永久微弱電流を発生させ、遠赤外線を放射し、ミネラルを溶出させる等の特性があることが知られ、これらの特性を生かした水改質具が、種々用いられている。
従来、例えば、この種の水改質具としては、特開２００５−２７９４０６号公報（特許文献１）に記載されたものが知られている。これは、内部に多数の空隙を有した網目構造を呈する芯材に、トルマリン粉末を含有する溶液を塗布し、その後、この芯材を乾燥し、更に、焼成して形成される。そして、この水改質具を処理水に接触させると、トルマリンの機能により処理水の水質が改質されていく。この場合、トルマリン粉末を含有する芯材が三次元網目構造を呈して形成されているので、内部には多数の空隙が形成されることになり、そのため、トルマリンの表面と良く接触して水の改質効率が良いものになっている。
【先行技術文献】
【特許文献】
【０００３】
【特許文献１】特開２００５−２７９４０６号公報
【発明の概要】
【発明が解決しようとする課題】
【０００４】
ところで、上記従来の水改質具にあっては、内部に多数の空隙を有した網目構造になっていることから、トルマリンとの接触効率は良いが、多数の空隙がある分、ゴミなどが入り込んで目詰まりを生じたり、細菌が繁殖しやすく、そのため、非衛生にならないように、洗浄したりしなければならないことから、管理が煩雑になっているという問題があった。また、トルマリン粉末の溶出が生じる虞もある。
本発明は上記の点に鑑みて為されたもので、トルマリンの機能をさほど損なうことなく衛生管理が極めて容易な水改質具を提供することを目的とする。
【課題を解決するための手段】
【０００５】
本願発明者は、トルマリンをポリ袋等の非透水性の袋に入れた状態であっても、トルマリンの機能が外部に及ぶことを見出し、今回の発明に至ったものである。
即ち、本発明の水改質具は、処理水中に浸漬されて処理水を改質する水改質具において、少なくともトルマリンの粉末をバインダに溶解した溶液を基体に塗布し、その後乾燥して形成される塗布体を備え、該塗布体を非透水性の袋に収納して密封した構成としている。
【０００６】
これにより、塗布体は、基体にトルマリン粉末をバインダとともに塗布して乾燥して形成されるので、塗布体の製造が極めて簡単に行われる。特に、基体の材質，形状や大きさを種々に選択することができ、汎用性を向上させることができる。また、この塗布体を、非透水性の袋に収納して密封するので、例えば、袋として市販のチャック付のポリ袋を用いることができ、極めて簡易に作成できる。
【０００７】
この水改質具を用いるときは、処理水中に浸漬する。この場合、塗布体が非透水性の袋に密封されるので、塗布体にゴミなどが入り込んで汚れたり、細菌が繁殖する等の事態が防止され、極めて衛生的になり、衛生管理が容易になる。
また、処理水に浸漬された状態では、トルマリンの機能が袋外部に及び、水が改質されていく。トルマリンの機能は、直接水と接触することにより、より多く発揮されるが、非透水性の袋を介しても相当程度外部に影響する。後述の実験例でもわかる通り、マイナスイオンを発生させる。
【０００８】
一般に、トルマリン鉱石は、珪酸塩類鉱物であり、永久微弱電流を発生し、「電気石」とも言われる。その結晶の両端にプラス電極とマイナス電極を自然に且つ永久的に保持する特性を有し、プラスの電極には大気中のマイナスイオンを引き寄せ、これをマイナス電極に送って、余ったマイナスイオンをマイナス電極から放出し、約０．０６ミリアンペアの微弱電流を発生し続ける。これにより、熱によって帯電する焦電現象（ピロ電気）、わずかな衝撃でも帯電する圧電現象（ピエゾ電気）による効果があり、静電気が多く発生し、電圧も高まり、電場を永久的に形成する。
【０００９】
そのため、水にふれると、水素イオンと水酸イオンとに電気分解される。水素イオンは水分子と結合して、所謂「ヒドロキシルイオン」と呼ばれる界面活性効果を持った物質を発生し続ける。水は、水素イオンが減少することで弱アルカリ性の性質を持つことになる。
また、水道水等の水は、塩素や不純物などが含まれているため水分子は結合体となり易く、これらが多く集まって大きなクラスターを形成しているが、このクラスターの大きい水にトルマリンを接触させると、水のクラスターが分解され、分子活動が活発に行われる分子状態になり、浸透性や吸水性が高く、滑らかで、美味しい水になる。
更に、トルマリン鉱石は、焦電効果及び圧電効果に基づいて波長４〜１４ミクロン程度の遠赤外線を放射し、これにより、生物を活性化し、温熱効果も奏する。
【００１０】
この結果、例えば処理水を飲料水にする場合には、血行促進、血液の浄化作用、自律神経の安定、細胞の活性化、美白効果、老化防止（しわ・たるみ・シミの防止）、消毒作用、抗菌作用等の効果が期待できる。また、例えば処理水を入浴用水にする場合には、身体の芯から温めることができ、血行促進、血液の浄化作用、自律神経の安定、細胞の活性化、美白効果、界面活性作用、抗酸化力（腐食・錆の防止）、老化防止（しわ・たるみ・シミの防止）、消毒作用、抗菌作用等の効果が期待できる。
【００１１】
また、必要に応じ、上記溶液に、湯の花の粉末を溶解した構成としている。湯の花は、少なくともラジウム及びラドンのいずれか一方または両方を含む鉱泉水の水分を蒸発させて残った析出物を用いることができる。これにより、塗布体にはトルマリンの他、湯の花も塗布される。湯の花もマイナスイオン発生物質であり、そのため、トルマリン一種のみの場合に比較して、各粉末は、マイナスイオンの発生条件が異なると考えられることから、マイナスイオンの発生条件を広い範囲でカバーでき、マイナスイオンを発生させ易くできる。また、放射される遠赤外線の波長帯域が広がり、人への影響の相乗効果を期待できる。
更にまた、湯の花のラドン等が持つと考えられる強い電離作用により、人の体に刺激が与えられ、例えば、人の血液や体液をイオン化し血液が賦活化させられる等、ラドン温泉浴をしているような効果も期待できる。
【００１２】
そして、必要に応じ、上記溶液に、酸化ジルコニウムの粉末を溶解した構成としている。これにより、塗布体にはトルマリンの他、酸化ジルコニウムも塗布される。酸化ジルコニウムは、ジルコニア（ZrO2 ）と言われ、融点２６８０℃、沸点４３００℃の物質で、耐食性があり、空気中では酸化被膜ができ内部が侵されにくくなる。その高融点、耐食性を利用した耐火材料、白色顔料、皮膚炎の治療薬の原料などとして利用されている。
この酸化ジルコニウムの添加により、トルマリンの基体に対する塗布を安定化し、トルマリン効果を助長できるようになる。
【００１３】
更に、必要に応じ、上記バインダを、樹脂製塗料で構成している。基体にマイナスイオン発生物質の粉末が満遍なく分散して塗布され、それだけ、広い範囲にマイナスイオンを発生させることができるようになる。
【００１４】
更にまた、必要に応じ、上記基体を、多数の小孔のある網状体で構成している。表面積が大きくなるので、それだけ、広い範囲にマイナスイオンを発生させることができるようになる等、放射効率が向上させられる。
【００１５】
また、必要に応じ、上記袋を、樹脂製の袋で構成している。例えば、袋として市販のチャック付のポリ袋を用いることができ、極めて簡易に作成できる。また、密封性も良く、衛生的になる。
【００１６】
そしてまた、必要に応じ、上記袋に、全体を処理水中に沈下させるための錘を付帯した構成としている。これにより、袋内に空気が入って全体が浮きあがろうとしても、錘により沈下できるので、安定化させることができる。
【発明の効果】
【００１７】
本発明によれば、処理水に浸漬した状態では、塗布体が非透水性の袋に密封されているので、塗布体にゴミなどが入り込んで汚れたり、細菌が繁殖する等の事態が防止され、極めて衛生的になり、衛生管理が容易になる。また、処理水中に浸漬すると、マイナスイオンが発生させられ、また、焦電効果及び圧電効果に基づいて遠赤外線が放射させられ、水のクラスターを分解して、浸透性や吸水性が高く、滑らかで、美味しい水にすることができる。
この結果、例えば処理水を飲料水にする場合には、血行促進、血液の浄化作用、自律神経の安定、細胞の活性化、美白効果、老化防止（しわ・たるみ・シミの防止）、消毒作用、抗菌作用等の効果が期待できる。また、例えば処理水を入浴用水にする場合には、身体の芯から温めることができ、血行促進、血液の浄化作用、自律神経の安定、細胞の活性化、美白効果、界面活性作用、抗酸化力（腐食・錆の防止）、老化防止（しわ・たるみ・シミの防止）、消毒作用、抗菌作用等の効果が期待できる。
【図面の簡単な説明】
【００１８】
【図１】本発明の実施の形態に係る水改質具を示す斜視図である。
【図２】本発明の実施の形態に係る水改質具を示す断面図である。
【図３】本発明の実施の形態に係る水改質具の使用例を示す図である。
【図４】本発明の実施の形態に係る水改質具の別の使用例を示す図である。
【図５】本発明の別の実施の形態に係る水改質具を示す分解斜視図である。
【図６】本発明の実施の形態に係る水改質具を使用した処理水（水道水）の水質試験結果を示す表図である。
【発明を実施するための形態】
【００１９】
以下、添付図面に基づいて、本発明の実施の形態に係る水改質具について詳細に説明する。
図１及び図２に示すように。本発明の実施の形態に係る水改質具Ｋは、処理水Ｗ中に浸漬されて処理水Ｗを改質するもので、少なくともトルマリンＴの粉末をバインダＢに溶解した溶液を基体２に塗布し、その後乾燥して形成される塗布体１を備え、この塗布体１を非透水性の袋１０に収納して密封したものである。
【００２０】
詳しくは、溶液は、バインダＢに、トルマリンＴの粉末、湯の花Ｈの粉末及び酸化ジルコニウムＺの粉末を添加して構成されている。
バインダＢは、樹脂製塗料が用いられる。樹脂製塗料としては、例えば、フェノール樹脂塗料，フタル酸樹脂塗料，ビニル樹脂塗料，ポリウレタン樹脂塗料，シリコーン樹脂塗料，エポキシ樹脂塗料等適宜のものを用いてよい。
【００２１】
トルマリンＴの粉末、湯の花Ｈの粉末及び酸化ジルコニウムＺの粉末の粒径は、０．５μｍ〜６０μｍ、望ましくは、１．２μｍ〜２０μｍである。この範囲でマイナスイオンの生成を効率よく行なわせることができる。
成分比は、バインダＢ１００重量部に対して、トルマリンＴの粉末２０〜５０重量部、湯の花Ｈの粉末１０〜２５重量部、酸化ジルコニウムＺの粉末５〜１０重量部である。
実施の形態では、バインダ（ポリウレタン樹脂塗料）Ｂ１００重量部に対して、トルマリンＴの粉末３５重量部、湯の花Ｈの粉末１７．５重量部、酸化ジルコニウムＺの粉末７．５重量部を加えた。
【００２２】
基体２は、多数の小孔３のある可撓性網状体、具体的には、布製のシート状網状体で構成されている。孔３の大きさは、０．５〜３ｍｍ程度で、その密度は、５〜２０個／ｃｍ2 程度である。
そして、この基体２に、上記の溶液を塗布し、その後乾燥して、塗布体１を形成する。この場合、塗布体１は、基体２に溶液を塗布して乾燥して形成されるので、塗布体１の製造が極めて簡単に行われる。
【００２３】
袋１０は、非透水性の樹脂製の袋で構成され、例えば、チャック付のポリ塩化ビニル製の矩形状の袋１０が用いられる。チャック１１で封をした際には内部は密封される。この場合、袋１０として市販のチャック付のポリ袋１０を用いることができ、極めて簡易に作成できる。
この袋１０の中に、シート状の塗布体１を、袋１０に収納される大きさに、例えば、６〜８枚重畳するように矩形状（例えば、２０ｃｍ×１５ｃｍ）に折り畳んで収納する。また、袋１０には、全体を処理水Ｗ中に沈下させるための錘２０が収納されて付帯されている。錘２０は、金属あるいは石等、適宜のものが用いられる。実施の形態では、多数の石２１をチャック付のポリ塩化ビニル製の矩形状の袋２２に詰めたものが用いられる。
【００２４】
このような水改質具Ｋを用いるときは、以下のようにする。
＜飲料水の場合＞
図３に示すように、ポリタンク４０に処理水Ｗとしての水道水を適宜量入れ、この中に、水改質具Ｋを入れておく。ポリタンク４０に設けられたバルブ４１を適宜開閉して、内部の処理水Ｗを取り出し、飲料水としてそのまま、あるいは、料理用の水として、あるいはまた、ウイスキーの水割りなどに用いる。
この場合、塗布体１が非透水性の袋１０に密封されるので、塗布体１にゴミなどが入り込んで汚れたり、細菌が繁殖する等の事態が防止され、極めて衛生的になり、衛生管理が容易になる。また、この場合、水改質具Ｋが処理水Ｗに浸漬された状態では、トルマリンＴ及び湯の花Ｈの機能が袋１０外部に及び、水が改質されていく。トルマリンＴや湯の花Ｈの機能は、直接水と接触することにより、より多く発揮されるが、非透水性の袋１０を介しても相当程度外部に影響する。即ち、水は、水素イオンと水酸イオンとに電気分解される。水素イオンは水分子と結合して、所謂「ヒドロキシルイオン」と呼ばれる界面活性効果を持った物質を発生し続ける。水は、水素イオンが減少することで弱アルカリ性の性質を持つことになる。
また、水道水等の水は、塩素や不純物などが含まれているため水分子は結合体となり易く、これらが多く集まって大きなクラスターを形成しているが、水のクラスターが分解され、分子活動が活発に行われる分子状態になり、浸透性や吸水性が高く、滑らかで、美味しい水になる。更に、トルマリンＴの焦電効果及び圧電効果に基づいて波長４〜１４ミクロン程度の遠赤外線を放射し、これにより、生物を活性化し、温熱効果も奏する。
この結果、例えば処理水Ｗを飲料水にする場合には、血行促進、血液の浄化作用、自律神経の安定、細胞の活性化、美白効果、老化防止（しわ・たるみ・シミの防止）、消毒作用、抗菌作用等の効果が期待できる。
【００２５】
＜入浴用の水に用いる場合＞
図４に示すように、浴槽５０に水を張り、その中に、水改質具Ｋを入れておく。この場合、塗布体１が非透水性の袋１０に密封されるので、塗布体１にゴミなどが入り込んで汚れたり、細菌が繁殖する等の事態が防止され、極めて衛生的になり、衛生管理が容易になる。また、浴槽５０の水が、上記と同様に改質される。そのため、入浴すると、身体の芯から温めることができ、血行促進、血液の浄化作用、自律神経の安定、細胞の活性化、美白効果、界面活性作用、抗酸化力（腐食・錆の防止）、老化防止（しわ・たるみ・シミの防止）、消毒作用、抗菌作用等の効果が期待できる。また、浴槽５０にも汚れが付着しにくくなり、掃除が容易になる。
【００２６】
図５には、別の実施の形態に係る水改質具Ｋを示している。これは、上記と同様の塗布体１を上記と同様の非透水性の袋１０に収納して密封したものである。そして、この水改質具Ｋを、石２１を透水性の網袋２５に詰めた錘２０とともに、透水性の網袋３０に入れ、上記と同様に使用する。錘２０を網袋２５に分けて網袋３０に入れて付帯させたので、非透水性の袋１０内に空気が入り込みにくく、沈下させやすくなるとともに、取扱いも容易になる。
【００２７】
尚、上記実施の形態では、基体２として、孔３の多数開いたシート状の布製網状体を用いたが、必ずしもこれに限定されるものではなく、紙，金属やプラスチック等どのようなものであっても良い。また、溶液の成分等は上記に限定されず、他の物質、例えばトルマリンの他にも、自発分極を有する粉体として、ＢaＴiＯ3 、ＰbＴiＯ3 、ＰbＺrＯ3 、Ｐb(Ｚr,Ｔi)Ｏ3 、ＫＮbＯ3 、ＫＴaＯ3 、Ｋ(Ｔa,Ｎb)Ｏ3 、ＬiＮbＯ3 等を添加する等適宜変更してよいことは勿論である。また、袋１０も上記に限定されるものではない。
【００２８】
＜実験例＞
次に、実験例を示す。
（１）水質測定
処理水Ｗとしての水道水に、実施の形態に係る水改質具Ｋを入れ、２４時間放置したものの、水質を測定した。その結果を図６に示す。この結果から、基準値より大幅に改善されたことがわかる。
【００２９】
（２）マイナスイオン測定
実施の形態に係る水改質具Ｋの袋１０外におけるマイナスイオンを測定した。測定器は、「ＩＯＮ  ＴＥＳＴＥＲ（ＭＯＤＥＬ  ＥＢ−１５）」（ＥＣＯ−ＨＯＬＩＳＴＩＣ．ＩＮＣ製）を用いた。測定値は、２０００個〜３０００個／ｃｍ3 を示し、極めて高い数値を示した。
【符号の説明】
【００３０】
Ｋ  水改質具
Ｗ  処理水
１  塗布体
２  基体
３  孔
Ｔ  トルマリン
Ｈ  湯の花
Ｚ  酸化ジルコニウム
Ｂ  バインダ
１０  袋
１１  チャック
２０  錘
２１  石
２２  袋
２５  網袋
３０  網袋
４０  ポリタンク
５０  浴槽
【図１】
2012000544.tif 000003
【図２】
2012000544.tif 000004
【図３】
2012000544.tif 000005
【図４】
2012000544.tif 000006
【図５】
2012000544.tif 000007
【図６】
2012000544.tif 000008